(57)【要約】【課題】  色収差を良好に補正し、Ｆｎｏが明るく、大口径で高空間周波数に対するＭＴＦが高い原稿読取レンズ及びそれを用いた原稿読取装置の提供【解決手段】  原稿読取レンズにおいて、その構成は、・第１レンズ群は凸面を物体側に向けた正メニスカスの第１レンズ・第２レンズ群は正の第２レンズと負の第３レンズ・第３レンズ群は負の第４レンズと正の第５レンズ・第４レンズ群は凸面を像面側に向けた正メニスカスの第６レンズ・回折光学素子を絞り近傍に配置であり、以下の条件式を満たすことを特徴とする原稿読取レンズ。１）０．００５＜ｆ×Φｄ＜０．０３２）０．０２＜（ｎ２＋ｎ５）／２―（ｎ３＋ｎ４）／２＜０．０８ｆ：全系焦点距離Φｄ：回折光学素子面の屈折力ｎｉ：第ｉレンズの屈折率【選択図】  図１
2005084573.tif 000002
【特許請求の範囲】
【請求項１】
光源によって照明された原稿面上の画像情報を読取素子面上に結像させるための原稿読取用レンズであって、その構成は、第１レンズ群は正のパワーの第１レンズ、第２レンズ群は、正のパワーの第２レンズと負のパワーの第３レンズで全体として負のパワーを有するレンズ群、絞り、第３レンズ群は、負のパワーの第４レンズと正のパワーの第５レンズで全体として負のパワーを有するレンズ群、第４レンズ群は正のパワーの第６レンズ、そして絞り近傍に回折光学素子を有している原稿読取レンズにおいて、
以下の条件式を満たすことを特徴とする原稿読取レンズ。
０．００５＜ｆ×Φｄ＜０．０３
０．０２＜（Ｎ２＋Ｎ５）／２‐（Ｎ３＋Ｎ４）／２＜０．０８
ｆ：全系の焦点距離    Φｄ：回折光学素子面の屈折力  
Ｎｉ：第ｉレンズの屈折率
【請求項２】
請求項１記載の原稿読取用レンズは、以下の条件式を満たすことを特徴とする原稿読取レンズ。
３）１５．０＜（ν２＋ν５）／２‐（ν３＋ν４）／２  ＜２０．０
νｉ：第ｉレンズのアッベ数
【請求項３】
請求項１、２記載の原稿読取レンズは、第１レンズが物体面側に凸面をむけた正メニスカスレンズ、第６レンズが像面側に凸面を向けた正メニスカスレンズであることを特徴とする原稿読取用レンズ。
【請求項４】
請求項１〜３記載の原稿読取レンズは、第２レンズ群の正のパワーを有する第２レンズと負のパワーを有する第３レンズが貼り合わされていることを特徴とする原稿読取レンズ。
【請求項５】
請求項１〜３記載の原稿読取レンズは、第３レンズ群の負のパワーを有する第４レンズと正のパワーを有する第５レンズが貼り合わされていることを特徴とする原稿読取レンズ。
【請求項６】
請求項４記載の原稿読取用レンズは、以下の条件式を満たすことを特徴としている原稿読取用レンズ。
４）０．６＜（ｒ３＋ｒ５）／ｒ４＜１．０
ｒ３：第２レンズ物体面側の曲率半径
ｒ４：第２レンズと第３レンズの貼り合わせ面の曲率半径
ｒ５：第３レンズ像面側の曲率半径
【請求項７】
請求項５記載の原稿読取用レンズは、以下の条件式を満たすことを特徴としている原稿読取用レンズ。
５）０．６＜（ｒ１０＋ｒ１２）／ｒ１１＜１．０
ｒ１０：第４レンズ物体面側の曲率半径
ｒ１１：第４レンズと第５レンズの貼り合わせ面の曲率半径
ｒ１２：第５レンズ像面側の曲率半径
【請求項８】
請求項１記載の回折光学素子は、該絞りの直前または直後に配置することを特徴とする原稿読取用レンズ。
【請求項９】
請求項１、８記載の回折光学素子は、正のパワーの回折格子面を有する回折格子と負のパワーの回折格子面を有する回折格子とを互いに回折格子面が向き合わせて接合した積層型回折光学素子であることを特徴とする原稿読取レンズ。
【請求項１０】
請求項１、８、９記載の回折光学素子は、前記格子部を平行平板上に成形していることを特徴とする原稿読取用レンズ。
【請求項１１】
請求項１、８、９記載の回折光学素子は、前記格子部を曲面上に成形していることを特徴とする原稿読取用レンズ。
【請求項１２】
請求項１〜１１のいずれか１項記載の原稿読取レンズは、偏平レンズであることを特徴としている原稿読取レンズ。
【請求項１３】
請求項１〜１２のいずれか１項記載の原稿読取レンズを用いて原稿面上の画像情報を読取素子面上に形成していることを特徴とする原稿読取装置。
【発明の詳細な説明】
【技術分野】
【０００１】
本発明は原稿読取レンズ及びそれを用いた原稿読取装置に関し、特に回折光学素子を有する原稿読取レンズにおいて、特に明るいＦｎｏ（Ｆナンバー）であり、周辺画角まで高い開口効率を維持しながら、各収差がバランスよく補正され、高解像力を有する、例えばデジタル複写機やイメージスキャナーなどのデジタル読取機器に好適なものである。
【背景技術】
【０００２】
一般にデジタル複写機やイメージスキャナーなどでは照明装置により照明された原稿の画像情報を原稿読取用レンズにより読取素子面上に縮小結像させて順次原稿面をスキャンしていき、該画像情報をデジタルデータとして読取り電気的に処理できる信号に変換している。このデジタル複写機やイメージスキャナーなどの読取素子としては１次元固体撮像素子（ラインセンサー）が多く採用されている（例えば、特開平１０―３３９８４３号公報）。
【０００３】
また、デジタル複写機やイメージスキャナーなどに用いられる原稿読取用レンズにおいて、カラー用の読取素子としては、例えば３つのラインセンサー（ＣＣＤ）を同一基板上に配置した３ラインセンサーを多く採用している。これは、赤（Ｒ）、緑（Ｇ）、青（Ｂ）の色フィルターを有した受光素子が１チップ上に３列に並んで配置されており、この受光素子面上にカラー画像の画像情報を信号化している。
【０００４】
このデジタル複写機やイメージスキャナーなどに用いられる原稿読取用レンズにおいて、カラー原稿を良好に読み取るためには受光素子面上のＲＧＢの３原色の各色光の結像位置を光軸方向に合致させる必要があり、このため各色について良好に色収差補正をしなければならない。この色収差は極めて精度良く補正させる必要がある。
【０００５】
更に、このような原稿読取レンズでは、一般に画像において高空間周波数領域での高いコントラストが要求されるとともにコンパクト化及び高速読取りという点から小型、高画角で、かつ開口効率が画角周辺部まで１００％近くであることが要求される。
【０００６】
このような要望を満たす原稿読取用レンズとしては、例えば絞り中心に複数のレンズを略対称に配置した対称型のレンズ系がある。一般に対称型のレンズ系は特に高解像力及び高画質に画像が容易に得られると言う特徴を有している。
【発明の開示】
【発明が解決しようとする課題】
【０００７】
原稿面上の画像情報を原稿読取レンズでセンサー面上に縮小結像させ、該センサーからの信号により該画像情報を電子情報として読取る際には原稿面全体をセンサー面上に高解像力で結像させることが重要となってくる。
【０００８】
原稿読取用レンズとしては、例えばレンズ構成が４群６枚のガウスタイプの原稿読取レンズは、球面収差、像面湾曲収差、歪曲収差などの諸収差が比較的十分良く補正されているため、一般的に広く用いられている。
【０００９】
しかしながら、このガウスタイプ原稿読取用レンズは、色収差、特に軸上色収差に関して、可視波長域の短波長側で補正過剰となり、長波長側では逆に補正不足となり、可視波長域の広い範囲においては良好に補正することが難しく残存色収差（２次スペクトル）を有していた。そのため、このような原稿読取レンズを、例えばイメージスキャナーなどのカラー画像読取装置に用いた場合にはＲ（赤）、Ｇ（緑）、Ｂ（青）の各色でのピント位置が若干異なり、読取画像の劣化が生じると言う問題点があった。また、高速対応のカラー画像読取用のレンズとしては、更に明るい原稿読取レンズが求められているが、Ｆｎｏ（Ｆナンバー）も４．０程度が軸上色収差などの諸収差を含めた性能レベルの限界であり、高速対応のカラー画像読取装置では必ずしも十分満足できるものとは言えなかった。
【００１０】
この残存色収差を広帯域の波長に対して補正するには、広帯域波長に対しても屈折率変化の少ない異常部分分散性を有するガラス（異常分散ガラス）を用いる必要があるが、この種のガラスは一般に高価で、且つ加工が難しいという問題点があった。
【００１１】
また、色収差の低減として回折格子を用いた原稿読取用レンズが提案されている。しかしながらこの原稿読取レンズは設計値以外の次数のフレアー光により読み取り画像の劣化が生じると言う問題点があった。このフレアー光を低減する方法としては、例えば図２０、図２１に示すような基板１０４上に分散特性の違う２種類の樹脂１０５、１０６を積層させる方法がある。しかしながら、図２０の格子の深さｄ１、ｄ２が互いに異なるタイプでは製造に困難があるという問題点があり、また図２１のタイプでは格子の深さｄが８０〜９０μｍと深く、画角のついた光線に対して格子の壁の部分で反射されると言う問題点があった。また、レンズ系として見ると、特開平１０―３３９８４３号公報などが上げられるが、レンズのＦｎｏ（Ｆナンバー）が４．５と暗く、縮小倍率が０．１５〜０．１９と小さいために縮小倍率が０．２２以上となると収差量が大きくなってしまうと言う問題点があった。
【００１２】
本発明では、対称型のレンズ系（ガウスタイプ）の絞り近傍に積層型の回折光学素子を適切に配置することによって諸収差のうち、特に色収差を広帯域にわたり良好に補正し、Ｆｎｏ（Ｆナンバー）３．５以下と大口径であり、高空間周波数に対するＭＴＦが高く、開口効率が画角周辺部まで１００％近くである原稿読取用レンズ及びそれを用いた原稿読取装置の提供を目的とする。
【課題を解決するための手段】
【００１３】
上記目的を達成するために請求項１の発明の原稿読取用レンズは、光源によって照明された原稿面上の画像情報を読取素子面上に結像させるための原稿読取用レンズであって、その構成は、第１レンズ群は正のパワーの第１レンズ、第２レンズ群は、正のパワーの第２レンズと負のパワーの第３レンズで全体として負のパワーを有するレンズ群、絞り、第３レンズ群は、負のパワーの第４レンズと正のパワーの第５レンズで全体として負のパワーを有するレンズ群、第４レンズ群は正のパワーの第６レンズ、そして絞り近傍に回折光学素子を有している原稿読取レンズにおいて、
以下の条件式を満たすことを特徴としている。
【００１４】
０．００５＜ｆ×Φｄ＜０．０３
０．０２＜（Ｎ２＋Ｎ５）／２‐（Ｎ３＋Ｎ４）／２＜０．０８
ｆ：全系の焦点距離    Φｄ：回折光学素子面の屈折力  
Ｎｉ：第ｉレンズの屈折率
請求項２の発明は、請求項１の発明において
前記原稿読取用レンズは、以下の条件式を満たすことを特徴としている。
【００１５】
３）１５．０＜（ν２＋ν５）／２‐（ν３＋ν４）／２  ＜２０．０νｉ：第ｉレンズのアッベ数請求項３の発明は、請求項１、２の発明において
前記原稿読取レンズは、第１レンズが物体面側に凸面をむけた正メニスカスレンズ、第６レンズが像面側に凸面を向けた正メニスカスレンズであることを特徴としている。
【００１６】
請求項４の発明は、請求項１〜３の発明において、
前記原稿読取レンズは、第２レンズ群の正のパワーを有する第２レンズと負のパワーを有する第３レンズが貼り合わされていることを特徴としている。
【００１７】
請求項５の発明は、請求項１〜３の発明において、
前記原稿読取レンズは、第３レンズ群の負のパワーを有する第４レンズと正のパワーを有する第５レンズが貼り合わされていることを特徴としている。
【００１８】
請求項６の発明は、請求項４の発明において、
前記原稿読取用レンズは、以下の条件式を満たすことを特徴としている。
【００１９】
４）０．６＜（ｒ３＋ｒ５）／ｒ４＜１．０
ｒ３：第２レンズ物体面側の曲率半径
ｒ４：第２レンズと第３レンズの貼り合わせ面の曲率半径
ｒ５：第３レンズ像面側の曲率半径
請求項７の発明は、請求項５の発明において、
前記原稿読取用レンズは、以下の条件式を満たすことを特徴としている。
【００２０】
５）０．６＜（ｒ１０＋ｒ１２）／ｒ１１＜１．０
ｒ１０：第４レンズ物体面側の曲率半径
ｒ１１：第４レンズと第５レンズの貼り合わせ面の曲率半径
ｒ１２：第５レンズ像面側の曲率半径
請求項８の発明は、請求項１の発明において、
前記回折光学素子は、該絞りの直前または直後に配置することを特徴としている。
【００２１】
請求項９の発明は、請求項１、８の発明において、
前記回折光学素子は、正のパワーの回折格子面を有する回折格子と負のパワーの回折格子面を有する回折格子とを互いに回折格子面が向き合わせて接合した積層型回折光学素子であることを特徴としている。
【００２２】
請求項１０の発明は、請求項１、８、９の発明において、
前記回折光学素子は、前記格子部を平行平板上に成形していることを特徴としている。
【００２３】
請求項１１の発明は、請求項１、８、９の発明において、
前記回折光学素子は、前記格子部を曲面上に成形していることを特徴としている。
【００２４】
請求項１２の発明の原稿読取レンズは、請求項１〜１１のいずれか１項記載の原稿読取レンズは、偏平レンズであることを特徴としている。
【００２５】
請求項１３の発明の原稿読取装置は、請求項１〜１２のいずれか１項記載の原稿読取レンズを用いて原稿面上の画像情報を読取素子面上に形成していることを特徴としている。
【発明の効果】
【００２６】
以上説明したように、本発明によれば、対称型のレンズ系の絞り近傍に積層型の回折光学素子を適切に配置することによって諸収差のうち、特に色収差を広帯域にわたり良好に補正し、Ｆｎｏ（Ｆナンバー）３．５以下と大口径であり、高空間周波数に対するＭＴＦが高く、開口効率が画角周辺部まで１００％近くである原稿読取用レンズ及びそれを用いた原稿読取装置を達成することができる。
【発明を実施するための最良の形態】
【００２７】
図１〜図５は各々本発明の原稿読取レンズの後述する数値実施例１〜５のレンズ断面図であり、各々原稿読取装置に適した場合を示している。図６、図７は各々本発明の数値実施例１の結像倍率β＝‐０．２２の時の諸収差図、図８、図９は各々本発明の数値実施例２の結像倍率β＝‐０．２２の時の諸収差図、図１０、図１１は各々本発明の数値実施例３の結像倍率β＝‐０．２２の時の諸収差図、図１２、図１３は各々本発明の数値実施例４の結像倍率β＝‐０．２２の時の諸収差図、図１４、図１５は各々本発明の数値実施例５の結像倍率β＝‐０．２２の時の諸収差図である。
【００２８】
図１〜図５においてＰＬは原稿読取レンズであり、例えばＸｅランプ（キセノンランプ）より成る光源により照明された原稿面Ｔ上の画像情報を読取素子ＩＰ面上に結像させている。Ｔは原稿面であり、その面上に画像情報が形成されている。ＩＰは読取素子としてのラインセンサー（ＣＣＤ）である。Ｇｉは原稿読取レンズＰＬを形成する第ｉレンズ、ＳＰは絞りである。
【００２９】
ＧＰは積層型回折光学素子であり、平行平板上に正のパワーの回折格子面を有する回折格子ＧＰ１と平行平板上に負のパワーの回折格子面を有する回折格子ＧＰ２とを互いに回折格子面が向き合わせて接合されている。
【００３０】
原稿読取レンズＰＬを構成する第ｉレンズＧｉのうち、Ｇ１は原稿面側に凸面を向けたメニスカス形状の正の第１レンズ、Ｇ２は原稿面側に凸面を向けたメニスカス状の正の第２レンズ、Ｇ３は原稿面側に凸面を向けたメニスカス状の負の第３レンズ、Ｇ４はラインセンサー側に凸面を向けたメニスカス状の負の第４レンズ、Ｇ５はラインセンサー側に凸面を向けたメニスカス状の正の第４レンズ、Ｇ６はラインセンサー側に凸面を向けたメニスカス状の負の第６レンズである。数値実施例においては第３レンズＧ３と第４レンズＧ４との間に絞りＳＰを配置し、かつ絞りＳＰとの間に積層型回折光学素子ＧＰを配置している。
【００３１】
本発明では、各実施例において以下の式を満足している。
【００３２】
０．００５＜ｆ×Φｄ＜０．０３
０．０２＜（Ｎ２＋Ｎ５）／２‐（Ｎ３＋Ｎ４）／２＜０．０８
ｆ：全系の焦点距離    Φｄ：回折光学素子面の屈折力  
Ｎｉ：第ｉレンズの屈折率
また、更に上記条件式に加え、以下の式を満足している。
【００３３】
３）１５．０＜（ν２＋ν５）／２‐（ν３＋ν４）／２  ＜２０．０νｉ：第ｉレンズのアッベ数次に各条件式１）〜３）の技術的意味について説明する。条件式１）は軸上色収差を良好に補正するための式であり、上限値を超えてしまうと回折光学素子面の屈折力Φｄが大きくなり、軸上色収差が補正過剰となると共に回折光学素子面の中心部と周辺部とでの格子ピッチの差が増大してしまい、製作が困難になる。
【００３４】
また、下限値を超えてしまうと回折光学素子面の屈折力Φｄが小さくなり、軸上色収差が補正不足となると共に１次回折光以外の回折光の影響が増大しフレアーとなってくるので良くない。
【００３５】
条件式２）は第２群、第３群の硝材の屈折率を規定する為の式であり、上限値を超えてしまうと、ペッツバール和が小さくなりすぎて、正側に像面湾曲が大きく発生し良くない。また、下限値を超えてしまうと、ペッツバール和が大きくなりすぎて、負側に像面湾曲が大きく発生し、非点隔差が大きくなり良くない。
【００３６】
条件式３）は軸上色収差を良好に補正する為且つ回折光学素子の屈折力との関係を規定する為の式であり、上限値を超えてしまうと、補正過剰になり、回折光学素子で更に補正する為、回折光学素子の屈折力が大きくなる為良くない。また、下限値を超えてしまうと、補正不足になり、回折光学素子で更に補正する為、同様に回折光学素子の屈折力が大きくなる為良くない。
【００３７】
更に本発明では、第１レンズが物体面側に凸面をむけた正メニスカスレンズ、第６レンズが像面側に凸面を向けた正メニスカスレンズである。このように、Ｇ１を物体面側に凸の正メニスカスレンズにすることにより球面収差を出さずに集光することができる。また、Ｇ６を像面側に凸の正メニスカスレンズにすることによって、絞りに対し略対象系になり収差補正がしやすくなり、且つ開口効率を画角周辺部まで１００％近くにすることができる。
【００３８】
また、本発明ではＧ２、Ｇ３レンズ及びＧ４、Ｇ５レンズを張り合わせても良く、その場合、以下の式を満たすことによって更に良好にすることができる。
【００３９】
４）０．６＜（ｒ３＋ｒ５）／ｒ４＜１．０
５）０．６＜（ｒ１０＋ｒ１２）／ｒ１１＜１．０
ｒ３：第２レンズ物体面側の曲率半径
ｒ４：第２レンズと第３レンズの貼り合わせ面の曲率半径
ｒ５：第３レンズ像面側の曲率半径
ｒ１０：第４レンズ物体面側の曲率半径
ｒ１１：第４レンズと第５レンズの貼り合わせ面の曲率半径
ｒ１２：第５レンズ像面側の曲率半径
次に各条件式４）、５）の技術的意味について説明する。
【００４０】
条件式４）、５）は第２群、第３群の貼り合わせレンズの接合面が有するパワーを規定する為の式であり、上限値を超えると倍率色収差が補正過剰となってしまい、下限値を超えると倍率色収差の補正不足となり良くない。
【００４１】
また本発明では、各実施例において積層型回折光学素子を絞り近傍に配置している。これは、可視域全域で高い回折効率を実現する為に積層型を用いている。また、回折光学素子を絞り近傍に配置することにより、軸外光束の光軸からの通過位置が低いことを利用して、軸外収差への悪影響を最小限にして軸上色収差を効率的に補正する為である。
【００４２】
ここでは回折格子を平行平板上に形成しているが、曲率をもった面に形成しても同様の効果は得られる。
【００４３】
各数値実施例で使用する第１、第２の平板ガラスＧＰ１、ＧＰ２の回折格子の格子ピッチは各々光源の基準波長（ｄ線）をλ０、光軸からの距離をｈ、位相係数をＣ２ｉ（ｉ＝１、２・・・）、位相をΦ（ｈ）としたとき、
Φ（ｈ）＝２π／λ０・（Ｃ２・ｈ２＋Ｃ４・ｈ４＋Ｃ６・ｈ６＋・・＋Ｃ２ｉ・ｈ２ｉ）
なる式で表されるものである。各数値実施例では、１次光を設計値としている。
【００４４】
図１６、１７は本発明に関わる積層型回折光学素子を説明するための説明図である。図１６に示すように第１の回折格子ＧＰ１は平行平板ガラス表面上に紫外線硬化型の樹脂からなる正のパワーを有する回折格子面１０１が形成され、第２の回折格子ＧＰ２も同様に平行平板ガラス表面上に紫外線硬化型の樹脂からなる負のパワーを有する回折格子面１０２が形成されている。更に回折格子面を互いに向い合わせに配置し、周囲を接着剤１０３で固定することによって積層型回折光学素子を達成している。
【００４５】
同様の効果のものとして図１７で示すように、第１の回折格子ＧＰ１、第２の回折格子ＧＰ２を基板と共に一体成形したものでもよい。例えばプラスチック光学材料により一体に射出成形したものなどが挙げられる。
【００４６】
各数値実施例で用いた回折格子面１０１の紫外線硬化型の樹脂は、商品名ＲＣ８９２２（大日本インキ（株））を使用しており、また回折格子面１０２の紫外線硬化型の樹脂は、商品名ＵＶ１０００（三菱化学（株））を使用している。
【００４７】
各数値実施例においては第１、第２の平板ガラスＧＰ１、ＧＰ２の回折格子の格子の深さを各々順にｄ１、ｄ２としたとき、該格子深さｄ１、ｄ２を
｛ｎ１（λａ）−１｝ｄ１―｛ｎ２（λａ）−１｝ｄ２＝ｍλａ・・（６）
｛ｎ１（λｂ）−１｝ｄ１―｛ｎ２（λｂ）−１｝ｄ２＝ｍλｂ・・（７）
但し、
ｎ１：第１の回折格子の材質の屈折率
ｎ２：第２の回折格子の材質の屈折率
λａ：第１の設定波長（μｍ）
λｂ：第２の設定波長（μｍ）
ｍ：１、２、３…
なる式から決定している。
【００４８】
上記材質の組み合わせでは、（６）、（７）式を用い、設計次数をｍ＝１と設定し、ＧＰ１、ＧＰ２の回折格子の深さをｄ１＝１０．２９５（μｍ）、ｄ２＝７．４３２（μｍ）としている。
【００４９】
図１８は本発明の原稿読取用レンズをデジタルカラー複写機の原稿読取装置に適用した時の要部外略図である。
【００５０】
同図において２は原稿台ガラスであり、その面上に原稿１が載置されている。４は照明光源であり、例えばハロゲンランプ、蛍光灯やキセノンランプ等によって成っている。３は反射笠であり、照明光源４からの光束を反射させ、効率よく原稿を照明している。５、６、７は各々の順に第１、第２、第３の反射ミラーであり、原稿１からの光束の光路を本体内部で折り曲げている。８は上述した数値実施例１から３の何れかの原稿読取用レンズであり、原稿１の画像情報に基づく光束を読取手段９面上に結像させている。９は読取手段としてのラインセンサー（ＣＣＤ）である。１０は本体、１１は圧板である。
【００５１】
本実施例において照明光源４から放射された光束は直接あるいは反射笠３を介して原稿１を照明し、該原稿１からの反射光を第１、第２、第３の反射ミラー５、６、７を介して本体内部でその光束の光路を折り曲げ、原稿読取用レンズ８によりＣＣＤ９面上に結像させている。このとき第１、第２、第３の反射ミラー５、６、７が副走査方向に移動しながら主走査方向を電気的に走査することで原稿１の画像情報を読み取っている。このとき第２、３の反射ミラー６、７は、第１の反射ミラー５の移動量の半分移動することで原稿１とＣＣＤ９との距離を一定としている。
【００５２】
尚、本実施形態では１：２走査光学系を有する画像読取装置に本発明の原稿読取用レンズを適用したが、これに限らず、例えば図１９に示す一体型（フラットベッド型）の画像読取装置に適用しても本発明は上述の実施形態１と同様に適用することができる。
【００５３】
図１９において照明手段２４から放射された光束は直接あるいは反射笠２３を介して原稿２１を照明し、該原稿２１からの反射光束を第１、第２、第３、第４反射ミラー２５、２６、２７、２８を介してキャリッジ３１内部でその光路を折り曲げ、原稿読取用レンズ２９により１次元ＣＣＤ等のリニアイメージセンサ３０（以下「ＣＣＤ」と称す。）面上に結像させている。そしてキャリッジ３１を副走査モーター（不図示）により図中に示す矢印Ｃ方向（副走査方向）に移動させることにより原稿２１の画像情報を読み取っている。同図におけるＣＣＤ３０は複数の受光素子を１次元方向（主走査方向）に配列した構成により成っている。
【００５４】
尚、本実施例ではデジタルカラー複写機の原稿読取装置に本発明の原稿読取用レンズを適用したが、これに限らず、例えばカラーイメージスキャナーなどの種々のカラー原稿読取装置にも適用することができる。
【００５５】
次に本発明の数値実施例を示す。各数値実施例においてＲｉは物体側より順に第ｉ番目の面の曲率半径、Ｄｉは物体側より第ｉ番目の光学材料厚及び空気間隔、Ｎｉとνｉは各々物体側より順に第ｉ番目の光学材料の材質の屈折率とアッベ数である。また、実施例中の波長はランプの分光特性とＣＣＤフィルターの分光特性を考慮したＲＧＢの重心波長であり、基準波長（Ｇ）は５４３ｎｍ、長波長（Ｒ）は６２２ｎｍ、短波長（Ｂ）は４５８ｎｍで計算している。
【００５６】
【表１】
2005084573.tif 000003
【００５７】
【表２】
2005084573.tif 000004
【００５８】
【表３】
2005084573.tif 000005
【００５９】
【表４】
2005084573.tif 000006
【００６０】
【表５】
2005084573.tif 000007
【００６１】
【表６】
2005084573.tif 000008
【図面の簡単な説明】
【００６２】
【図１】本発明の数値実施例１のレンズ断面図
【図２】本発明の数値実施例２のレンズ断面図
【図３】本発明の数値実施例３のレンズ断面図
【図４】本発明の数値実施例４のレンズ断面図
【図５】本発明の数値実施例５のレンズ断面図
【図６】本発明の数値実施例１の収差図
【図７】本発明の数値実施例１の収差図
【図８】本発明の数値実施例２の収差図
【図９】本発明の数値実施例２の収差図
【図１０】本発明の数値実施例３の収差図
【図１１】本発明の数値実施例３の収差図
【図１２】本発明の数値実施例４の収差図
【図１３】本発明の数値実施例４の収差図
【図１４】本発明の数値実施例５の収差図
【図１５】本発明の数値実施例５の収差図
【図１６】本発明に係る積層型回折光学素子の説明図
【図１７】本発明に係る積層型回折光学素子の説明図
【図１８】本発明の原稿読取用レンズを原稿読取装置に適用した時の要部概略図
【図１９】本発明の原稿読取用レンズを原稿読取装置に適用した時の要部概略図
【図２０】従来例の積層型回折光学素子の説明図
【図２１】従来例の積層型回折光学素子の説明図
【符号の説明】
【００６３】
ＰＬ  原稿読取用レンズ
Ｇｉ  第ｉレンズ
ＧＰｉ  第ｉの回折格子
ＧＰ  積層型回折光学素子
ＳＰ  絞り
Ｔ  原稿面
ＩＰ  読取素子（像面）
１  原稿
２  原稿台ガラス
３  反射笠
４  照明光源
５  第１の反射ミラー
６  第２の反射ミラー
７  第３の反射ミラー
８  原稿読取用レンズ
９  読取手段
１０  本体
１１  圧板
１０１  正のパワーを有する回折格子
１０２  負のパワーを有する回折格子
１０３  接着剤
１０４  基板
【図１】
2005084573.tif 000009
【図２】
2005084573.tif 000010
【図３】
2005084573.tif 000011
【図４】
2005084573.tif 000012
【図５】
2005084573.tif 000013
【図６】
2005084573.tif 000014
【図７】
2005084573.tif 000015
【図８】
2005084573.tif 000016
【図９】
2005084573.tif 000017
【図１０】
2005084573.tif 000018
【図１１】
2005084573.tif 000019
【図１２】
2005084573.tif 000020
【図１３】
2005084573.tif 000021
【図１４】
2005084573.tif 000022
【図１５】
2005084573.tif 000023
【図１６】
2005084573.tif 000024
【図１７】
2005084573.tif 000025
【図１８】
2005084573.tif 000026
【図１９】
2005084573.tif 000027
【図２０】
2005084573.tif 000028
【図２１】
2005084573.tif 000029